(57)【特許請求の範囲】
【請求項１】
光の照明側に開口された開口部内に、光源を点灯するために電気的に接続された電源回路を備えたハウジングと、
前記光源から照射される光を外部に透過するレンズを有するとともに、前記ハウジングの前記開口部を開口側から閉じるレンズユニットと
を備えた照明装置において、
装置ケースの外部で発生した結露が、前記ハウジング、前記レンズユニット、又はこれら部材の間の隙間から、当該装置ケースの内部に流入してしまっても、前記光源の点灯が正常に可動することを確保する結露流入保護機構を備え、
前記ハウジングの長さ方向において一方の側に位置するように形成された係止爪を取り付け先の被係止部に係止するとともに、当該ハウジングの長さ方向において前記係止爪とは反対側部位に形成された取付部を締結部により前記取り付け先に固定する取付機構を備えた
ことを特徴とする照明装置。
【請求項２】
前記結露流入保護機構は、前記電源回路又は前記光源が、前記ハウジング及び前記レンズユニットの間の隙間と前記装置ケースの内部とを連通する結露流入口よりも、照明装置の取り付け状態において上方に配置される構造である
ことを特徴とする請求項１に記載の照明装置。
【請求項３】
前記結露流入保護機構は、前記レンズユニットに設けられ、前記装置ケース内に流入した前記結露が前記レンズまで至らないように途中で堰き止める壁部である
ことを特徴とする請求項１又は２に記載の照明装置。
【請求項４】
前記ハウジングに形成された配線引き出し用の配線通し孔の上部に形成された庇部と、前記配線通し孔から引き出された前記配線を下に傾斜する状態で前記ハウジングに係止する配線止め部とを有する結露流入抑制機構を備えた
ことを特徴とする請求項１〜３のうちいずれか一項に記載の照明装置。
【請求項５】
前記電源回路を前記レンズに対して重ね方向に配置し、当該電源回路から発生した熱を、該電源回路に取り付けられた金属部材から、該金属部材に触れる空気層を通じて、当該電源回路から逃がす放熱機構を備えた
ことを特徴とする請求項１〜４のうちいずれか一項に記載の照明装置。
【請求項６】
前記装置ケース内には、電子部品の収納領域と、前記締結部の取り付けスペースと、を区分けする区画部が形成されている
ことを特徴とする請求項１に記載の照明装置。
【請求項７】
前記取付機構は、前記締結部の取り付けスペースにおいて、前記取り付け先への取付け作業を行うときに指を添えることが可能な支持部を備える
ことを特徴とする請求項１又は６に記載の照明装置。
【請求項８】
前記装置ケースの表面の光出口として前記レンズを持ち、当該装置ケースの内部において該レンズの少なくとも一方の端部に、照射光が指向性を持つ前記光源としての指向性光源を配置し、当該指向性光源から前記レンズのもう一方の端部に向かって照射される前記照射光を前記レンズから導出する照明装置であって、
前記レンズの表面及び裏面のいずれか一方に、透光性の光調整部材を配置するとともに、前記装置ケースの底面の内面側において前記光調整部材に対し間隔を開けて反射部材を配置し、
前記光調整部材は、前記指向性光源から該光調整部材に入射した照射光を、前記指向性光源の照射軸と直交する方向に拡散する拡散効果と、その入射側に折り返す反射効果とを有し、
前記反射部材が有する反射効果と、前記光調整部材が有する反射効果との互いの光反射効果によって、前記照射光を前記レンズの他端まで導く導光効果と、
前記光調整部材の前記拡散効果と
の複合効果によって、前記レンズを面全体に亘って光らせることにより照明を行う
ことを特徴とする請求項１〜７のうちいずれか一項に記載の照明装置。
【発明の詳細な説明】
【技術分野】
【０００１】
本発明は、指向性光源の光により周囲を照明する照明装置に関する。
【背景技術】
【０００２】
近年、ＬＥＤを光源とする照明装置、いわゆるＬＥＤ灯具が広く普及している。ＬＥＤには小型でしかも長寿命という利点があるため、ＬＥＤ灯具は更に普及が進むものと想定され、最近は車両の室内灯として使用されている（特許文献１等参照）。ＬＥＤ灯具を長時間点灯させたときは、ＬＥＤや電源回路が熱を持つため、これが故障の原因となる可能性がある。よって、ＬＥＤや電源回路の熱を、例えば熱伝導や熱伝達の現象を利用して外に逃がす放熱対策が種々考案されている（特許文献２，３等参照）。
【先行技術文献】
【特許文献】
【０００３】
【特許文献１】特開２０１０−１３７７９３号公報
【特許文献２】特開２０１０−１０２９９７号公報
【特許文献３】特開２０１０−０９８２０４号公報
【発明の概要】
【発明が解決しようとする課題】
【０００４】
ところで、近年開発されている車両では、車内外の気密性が高く、しかも、車両内に搭載されている冷暖房機による急速冷暖房機能が非常に優れている。従って、例えば、寒冷地において、急速暖房を行うことによって、室内気中の水分が凝縮（結露）し、それが車体の天井壁面に付着し流出するという問題が発生する可能性があると考えられる。
【０００５】
車両用のＬＥＤ灯具は、車内の天井等に取り付けられるため、外気と内気との温度境界に近い位置に配置される可能性が高い。ＬＥＤ灯具の点灯時においては、上述のような放熱対策を施しているため、仮に室内の急速暖房が行われるような状態になるとすれば、灯具周辺は、外気と比較してさらに大きな温度差を生じ易くなり、結露問題が大きくなることが懸念される。車体の天井等に結露が生じれば、灯具を取り付けるためのブラケット等を伝って灯具内に進入することが懸念される。そうなると当然のことながら、電源回路や発光体等に悪影響を与え、不点灯や故障の原因となることが考えられる。
【０００６】
そこで、発明者等は、この種のＬＥＤ灯具に関し、車両への組み付け作業やメンテナンス作業が従来通り簡単に実施でき、しかも、上述の放熱対策や結露に対する懸念点を払拭するにはどうすればよいか、灯具の構造について種々検討を重ねた結果、本発明を完成した。
【０００７】
本発明の目的は、結露が生じるような室内状況下であっても、光源の点灯に影響を及ぼし難くすることができる照明装置を提供することにある。
【課題を解決するための手段】
【０００８】
前記問題点を解決するために、本発明では、光の照明側に開口された開口部内に、光源を点灯するために電気的に接続された電源回路を備えたハウジングと、前記光源から照射される光を外部に透過するレンズを有するとともに、前記ハウジングの前記開口部を開口側から閉じるレンズユニットとを備えた照明装置において、装置ケースの外部で発生した結露が、前記ハウジング、前記レンズユニット、又はこれら部材の間の隙間から、当該装置ケースの内部に流入しても、前記光源の点灯が正常に可動することを確保する結露流入保護機構を備え、前記ハウジングの長さ方向において一方の側に位置するように形成された係止爪を取り付け先の被係止部に係止するとともに、当該ハウジングの長さ方向において前記係止爪とは反対側部位に形成された取付部を締結部により前記取り付け先に固定する取付機構を備えたことを要旨とする。
【０００９】
この構成によれば、照明装置の装置ケース内に結露が流入しても、結露が装置ケース内の更に奥に浸入してしまうことを、結露流入保護機構によって抑制することが可能となる。このため、結露が照明装置の電子部品に至り難くなるので、電子部品の故障を生じ難くすることが可能となる。また、結露がレンズにも至り難くなるので、レンズ周囲の隙間から結露が下方に流れ落ちることも生じ難くすることが可能となる。加えて、係止爪を取り付け先の被係止部に係止しつつ、その反対側部位に形成された取付部を締結部によって止めることにより、照明装置を取り付け先に取り付ける。よって、取り付けの全箇所に締結部を使用せずに済むので、照明装置の取り付けに必要な締結部の数を少なく抑えることが可能となる。また、締結部の数が少なく抑えられれば、組付作業を簡素化することも可能となる。
【００１０】
本発明では、前記結露流入保護機構は、前記電源回路又は前記光源が、前記ハウジング及び前記レンズユニットの間の隙間と前記装置ケースの内部とを連通する結露流入口よりも、照明装置の取り付け状態において上方に配置される構造であることを要旨する。
【００１１】
この構成によれば、結露がハウジングとレンズユニットとの隙間から装置ケース内に浸入しても、結露が電源回路や光源に至り難くなる。よって、結露付着を要因とする電源回路や光源の故障を防止することが可能となる。
【００１２】
本発明では、前記結露流入保護機構は、前記レンズユニットに設けられ、前記装置ケース内に流入した前記結露が前記レンズまで至らないように途中で堰き止める壁部であることを要旨とする。
【００１３】
この構成によれば、結露が装置ケース内に浸入しても、レンズ手前に形成された壁部によって結露が堰き止められるので、結露がレンズ側に至り難くなる。よって、レンズ周囲の隙間から結露が装置ケース内から外に流れ落ちることを生じ難くすることが可能となる。
【００１４】
本発明では、前記ハウジングに形成された配線引き出し用の配線通し孔の上部に形成された庇部と、前記配線通し孔から引き出された前記配線を下に傾斜する状態で前記ハウジングに係止する配線止め部とを有する結露流入抑制機構を備えたことを要旨とする。
【００１５】
この構成によれば、結露が上から配線通し孔に落ちてきたとしても、この結露は庇部によって遮られるので、結露が配線通し孔から装置ケース内に浸入することを生じ難くすることが可能となる。また、配線通し孔から外部に引き出された配線の先を、低い位置の配線止め部に係止するので、配線に適度な勾配ができる。このため、配線に付着した結露が配線を伝って下方に流れ落ちるので、配線通し孔への結露の浸入を生じ難くすることが可能となる。
【００１６】
本発明では、前記電源回路を前記レンズに対して重ね方向に配置し、当該電源回路から発生した熱を、該電源回路に取り付けられた金属部材から、該金属部材に触れる空気層を通じて、当該電源回路から逃がす放熱機構を備えたことを要旨とする。
【００１７】
この構成によれば、仮に電源回路が熱を有しても、この熱が放熱機構によって電源回路から放熱されるので、電源回路が過度に温度上昇しない。よって、電源回路に温度上昇を要因とする故障を生じ難くすることが可能となる。また、電源回路が熱を持ち難くなれば、照明装置の周囲において空気に温度差が生じ難くなる。よって、これが結露発生の抑止となるので、結露問題に対して非常に効果が高くなる。
【００２０】
本発明では、前記装置ケース内には、電子部品の収納領域と、前記締結部の取り付けスペースと、を区分けする区画部が形成されていることを要旨とする。
この構成によれば、仮に締結部の挿込孔から結露が装置ケース内に浸入しても、この結露は区画部によって堰き止められて、電子部品側に流入しない。よって、電子部品に結露が付着し難くなるので、電子部品の故障防止に効果が高い。
【００２１】
本発明では、前記取付機構は、前記締結部の取り付けスペースにおいて、前記取り付け先への取付け作業を行うときに指を添えることが可能な支持部を備えることを要旨とする。
【００２２】
この構成によれば、照明装置を取り付けるとき、ハウジングの支持部に指を添えることにより、ハウジングをしっかと固定しながら、締結部の取り付けが可能となる。よって、照明装置を取り付け先に取り付けるときの作業性を向上することが可能となる。
【００２３】
本発明では、前記装置ケースの表面の光出口として前記レンズを持ち、当該装置ケースの内部において該レンズの少なくとも一方の端部に、照射光が指向性を持つ前記光源としての指向性光源を配置し、当該指向性光源から前記レンズのもう一方の端部に向かって照射される前記照射光を前記レンズから導出する照明装置であって、前記レンズの表面及び裏面のいずれか一方に、透光性の光調整部材を配置するとともに、前記装置ケースの底面の内面側において前記光調整部材に対し間隔を開けて反射部材を配置し、前記光調整部材は、前記指向性光源から該光調整部材に入射した照射光を、前記指向性光源の照射軸と直交する方向に拡散する拡散効果と、その入射側に折り返す反射効果とを有し、前記反射部材が有する反射効果と、前記光調整部材が有する反射効果との互いの光反射効果によって、前記照射光を前記レンズの他端まで導く導光効果と、前記光調整部材の前記拡散効果との複合効果によって、前記レンズを面全体に亘って光らせることにより照明を行うことを要旨とする。
【００２４】
ここで、「光源の照射軸」とは、光源からの配光（光束）分布の中心軸を言い、この照射軸上では、光源から等距離の位置において、単位面積当たりの光束量がおよそ最大となるような性質を有する。なお、この中心軸は、例えば、電球や砲弾型のＬＥＤにおける構造的（幾何学的）な対称軸を必ずしも意味するものではない。
【００２５】
この構成によれば、レンズ（発光面）に指向性光源が映り込んで見栄えが悪くならないように、レンズの端部に照明光源が配置される。そして、この指向性光源が発光した際、この照射光の一部が光調整部材の拡散効果により指向性光源の照射軸に対して垂直に交わる直交方向に拡散されて、レンズから外部に放射される。また、反射効果をも有する光調整部材と反射部材とを向き合わせて配置することにより生じる導光効果により、この２者間に通した照射光が、その照射方向（照射軸方向）に導かれるので、指向性光源の反射光の多くがケース反対側の端部にまで届くようになる。このため、指向性光源の光がレンズに広く行き渡るので、例えば高価な部品である導光板を使用せずとも、レンズを均一に面発光させることが可能となる。
【発明の効果】
【００２６】
本発明によれば、露が生じるような室内状況下であっても、光源の点灯に影響を及ぼし難くすることができる。
【図面の簡単な説明】
【００２７】
【図１】一実施形態のＬＥＤ灯具の外観図。
【図２】ＬＥＤ灯具をハウジング側から見た斜視図。
【図３】ハウジング側から見たときのＬＥＤ灯具の分解斜視図。
【図４】レンズ側から見たときのＬＥＤ灯具の分解斜視図。
【図５】ＬＥＤ灯具の灯具幅方向の断面図。
【図６】ＬＥＤ灯具の灯具長さ方向の断面図。
【図７】ＬＥＤ灯具の平断面図。
【図８】内側から見たレンズ及び蓋部の平面図。
【図９】拡散フィルムの外観を示す平面図及びその部分拡大図。
【図１０】コネクタ取付部及びその周囲の拡大斜視図。
【図１１】ＬＥＤ灯具の電気構成図。
【図１２】光拡散フィルムの表面形状を示す拡大斜視図。
【図１３】光拡散フィルムで光が拡散及び屈折する状態を示す説明図であり、（ａ）は入射角が臨界角よりも小さい場合、（ｂ）は入射角が臨界角よりも大きい場合、（ｃ）は入射が臨界角とほぼ同じ値をとる場合の説明図。
【図１４】ＬＥＤ灯具に結露が付着したときの状態図。
【図１５】（ａ）〜（ｄ）はＬＥＤ灯具を車内天井に取り付けるときの作業工程を示す説明図。
【図１６】別例におけるＬＥＤ灯具の部分拡大断面図。
【発明を実施するための形態】
【００２８】
以下、本発明を具体化した照明装置の一実施形態を図１〜図１５に従って説明する。
図１に示すように、車内天井１には、ＬＥＤ２（図４等参照）を光源として車内（照明場所）を照明するＬＥＤ灯具３が取り付けられている。ＬＥＤ灯具３は、灯具幅方向（図４のＹ軸方向）の端に置いたＬＥＤ２の光を、灯具厚さ方向（図３のＺ軸方向）に引き出すものである。なお、車内天井１が取り付け先に相当し、ＬＥＤ２が光源（指向性光源）及び電子部品を構成し、ＬＥＤ灯具３が照明装置に相当する。
【００２９】
図１〜図４に示すように、ＬＥＤ灯具３には、外枠部品として長細い箱状の本体ケース４が設けられている。図２〜図４に示すように、本体ケース４には、ＬＥＤ灯具３の電子部品の収納先として樹脂製のハウジング５が設けられている。ハウジング５は、レンズユニット６及び蓋部７の２部品により蓋がされている。レンズユニット６には、樹脂製の枠部８が備えられ、この枠部８の開口孔９にレンズ１０が取り付けられている。ＬＥＤ灯具３は、レンズ１０の表面を光照射面として光を室内に照明する。なお、本体ケース４が装置ケースに相当する。
【００３０】
図３及び図４に示すように、枠部８の内面においてレンズ１０の周囲には、ハウジング５を内側にて係止するための係止枠１１が立設されている。係止枠１１の所定位置には、スナップフィット構造の取付片１２が所定間隔を空けて複数形成されている。レンズユニット６は、これら取付片１２を、ハウジング５の側壁５ａの外面に形成された各突部１３に係止することにより、ハウジング５に組み付けられる。
【００３１】
蓋部７の縁部には、蓋部７の平面方向に突出する一対の突片１４，１４が突設されている。また、蓋部７の内面には、上方向に突出する一対の爪部１５，１５が突設されている。蓋部７は、突片１４，１４を枠部８の端の一対の溝部１６，１６（図３参照）に挿し込みながら、ハウジング５の端縁に形成された一対の係止部１７，１７に爪部１５，１５を係止することによって、ハウジング５及びレンズユニット６に組み付けられる。
【００３２】
図４〜図６に示すように、ハウジング５の内部には、ＬＥＤ灯具３の電子部品を収納する第１部品収納室１８が凹設されている。第１部品収納室１８の中央には、凹みが更に深くなった第２部品収納室１９が凹設されている。なお、第１部品収納室１８が電子部品の収納領域に相当する。なお、部品収納室１８，１９が開口部を構成する。
【００３３】
第２部品収納室１９には、ＬＥＤ灯具３の電源回路２０が収納されている。電源回路２０は、電源基板２１と、電源基板２１に実装された素子群２２（ともに図３参照）とを備える。電源基板２１の裏面には、電源回路２０に発生した熱を電源回路２０から逃がす金属製の放熱板２３が、例えばテープ等により取り付けられている。放熱板２３は、薄い板状をなすとともに、電源基板２１と略同一面積に形成されている。なお、電源回路２０が電子部品を構成し、放熱板２３が金属部材に相当する。
【００３４】
図４及び図６に示すように、第２部品収納室１９の側壁には、電源回路２０と放熱板２３とが一体となった電源ユニット２４を係止可能な係止溝２５が形成されている。よって、電源ユニット２４は、灯具長さ方向（図３のＸ軸方向）の端部を係止溝２５に止めつつ、その反対側をねじ２６により固定することで、ハウジング５に組み付けられている。
【００３５】
図４、図５及び図７に示すように、ハウジング５の第１部品収納室１８において灯具幅方向（図７のＹ軸方向）の両端には、互いに向き合う状態で一対の光源ユニット２７，２７が組み付けられている。光源ユニット２７，２７は、灯具長さ方向に等間隔に配置された複数のＬＥＤ２，２…と、これらＬＥＤ２，２…が実装された細長い板状のＬＥＤ基板２８とを備える。ＬＥＤ基板２８は、配線２９を介して電源基板２１に接続されている。ＬＥＤ基板２８の裏面には、ＬＥＤ基板２８に発生した熱をＬＥＤ基板２８から逃がす放熱板３０が、例えばテープ等により取り付けられている。放熱板３０は、薄い板形状をなすとともに、ＬＥＤ基板２８と略同一面積に形成されている。
【００３６】
図４〜図７に示すように、ハウジング５の内部において側壁５ａの隣位置には、光源ユニット２７を取り付けるための係止壁３１が複数並設されている。光源ユニット２７は、側壁５ａと係止壁３１との間に縦向きに挿し込まれることにより、ハウジング５に組み付けられている。
【００３７】
図７に示すように、ＬＥＤ２は、レンズ１０の発光面に対して平行方向（以降、発光方向Ｋｃと記す）に光を照射する。つまり、ＬＥＤ２の照射軸は、レンズ１０の発光面に対して平行な位置関係をとる。なお、発光方向Ｋｃは、ＬＥＤ２の照射軸をとることに加え、ＬＥＤ灯具３の灯具長さ方向に対して垂直方向をとることも含む。また、ＬＥＤ２は、灯具幅方向において一方の側に位置するものと、もう一方の側に位置するものとが、灯具長さ方向（発光方向Ｋｃの直交方向）において互い違いに配置されている。
【００３８】
図３〜図５に示すように、電源基板２１の放熱板２３の下方位置には、表面に光反射作用を持つシート状の反射板３２が取り付けられている。反射板３２は、一対の光源ユニット２７，２７の間に、灯具厚さ方向においてレンズ１０から所定間隔を空けて配置されている。反射板３２は、ＬＥＤ２の照射光をレンズ１０側に反射させるためのもので、例えばＰＥＴ（Polyethylene terephthalate）により形成されている。反射板３２は、ハウジング５の内面に形成された複数（本例は計４つ）の掛止部３３に係止することにより、ハウジング５に組み付けられている。なお、反射板３２が反射部材に相当する。
【００３９】
レンズ１０の裏面には、入力光を集光して照射する透明かつシート状の光拡散フィルム３４が取り付けられている。光拡散フィルム３４は、例えばプリズムシートとも呼ばれ、薄い樹脂シート（樹脂フィルム）により形成されている。更に詳述すると、表面側（レンズ１０側）がアクリル系樹脂により形成されるとともに、裏面側（反射板３２側）がポリエステルフィルム層からなる２層構造をとっている。図５に示すように、反射板３２と光拡散フィルム３４との間には、所定間隔を空けて配置されることにより空間領域が形成され、この空間領域がＬＥＤ２の照射光が通る光通過領域となっている。なお、光拡散フィルム３４が光調整部材に相当する。
【００４０】
図３及び図８に示すように、枠部８の内部において開口孔９の周縁一帯には、所定の厚みを持つ縁部３５がレンズ１０を囲むように環状に形成されている。光拡散フィルム３４は、縁部３５の長辺側に形成された複数の引掛孔３６に、自身の対応する舌片３７を挿し込むことにより、枠部８に組み付けられている。また、レンズ１０は、自身の舌片１０ａを引掛孔３６と短辺側の引掛孔３６ａとに係止することで、レンズ１０に組み付けられている。
【００４１】
図９に示すように、光拡散フィルム３４の表面には、フィルム幅方向に一帯に延びる線の細い溝３８，３８…が、フィルム長さ方向に等間隔に配置されている。これら溝３８，３８…は、奥に向かうに従い幅が連続的に小さくなる断面三角形状の穴となっている。溝３８の角度θは、例えば６０〜１２０度の範囲内の値に設定されている。隣同士の溝３８，３８の間には、断面三角形状の山部３９が形成されている。以上により、光拡散フィルム３４の表面には、溝３８と山部３９とがフィルム長さ方向に交互に配置されている。光拡散フィルム３４は、溝方向ＭｃがＬＥＤ２の発光方向Ｋｃと平行となる向きに配置されている。
【００４２】
ところで、ＬＥＤ灯具３は、車内天井１という外気と内気との境界付近に配置されるので、この内外の温度差によって生じる結露がＬＥＤ灯具３に付着する可能性も否めない。よって、本例のＬＥＤ灯具３には、ＬＥＤ灯具３に流入してしまった結露が、更にケース内部側に流れ込むことを抑制する結露流入保護機構４０が設けられている。
【００４３】
図５及び図６に示すように、レンズユニット６とハウジング５との隙間から本体ケース４内に浸入した結露が本体ケース４の内部（第２部品収納室１９）に入り込むときの入口を結露流入口４１とすると、結露流入保護機構４０は、ＬＥＤ２及び電源回路２０を結露流入口４１よりも上方に配置する構造を備える。このため、結露が結露流入口４１から本体ケース４の内部に流入しても、この位置よりも上に存在するＬＥＤ２及び電源回路２０には結露が到達し難くなる。
【００４４】
図３及び図８に示すように、枠部８の内部において縁部３５の周囲一帯には、結露流入口４１から流入した結露を堰き止める第１防水壁４２が立設されている。このため、結露流入口４１の隙間から結露が本体ケース４内に流入しても、結露が第１防水壁４２にて堰き止められるので、結露が引掛孔３６を通じて枠部８とレンズ１０との連結部分まで至り難くなる。よって、結露が枠部８とレンズ１０との間の隙間から流出し難くなる。なお、第１防水壁４２が壁部を構成する。
【００４５】
図３及び図８に示すように、各引掛孔３６の近傍には、同じく結露を堰き止める第２防水壁４３が立設されている。第２防水壁４３は、結露流入口４１から流入した結露を手前の第１防水壁４２と協同して堰き止めるものである。なお、第２防水壁４３が壁部を構成する。
【００４６】
また、枠部８の蓋部７側の端には、同じく結露を堰き止め可能な区画壁４４が立設されている。区画壁４４は、一対の溝部１６，１６の間に、大きめの壁として形成されている。区画壁４４は、蓋部７側から浸入してきた結露を、レンズ１０側（第２部品収納室１９）に浸入し難くするとともに、ＬＥＤ２の光漏れを防ぐ働きもする。なお、区画壁４４が壁部及び区画部を構成する。
【００４７】
図２及び図３に示すように、ハウジング５において第２部品収納室１９の外面には、電源回路２０の配線４５を本体ケース４外に導出する配線通し孔４６が形成されている。配線通し孔４６の上部には、配線通し孔４６への結露の浸入を抑制する庇部４７が突出形成されている。庇部４７は、側視において例えば半円形状をなしている。また、ハウジング５の上面には、配線通し孔４６から引き出した配線４５を係止可能な配線止め部４８が設けられている。配線止め部４８は、配線通し孔４６から引き出された配線４５を、所定の傾斜を持って係止するものである。配線４５は、この配線止め部４８の他に、隣接するもう１つの配線止め部４９にも係止されている。なお、庇部４７及び配線止め部４８が結露流入抑制機構を構成する。
【００４８】
図１０に示すように、ハウジング５の上面の端縁には、ＬＥＤ灯具３の電気接続箇所としてコネクタ５０が取り付けられている。コネクタ５０は、ハウジング５に突設された板状のコネクタ取付部５１に取り付けられている。コネクタ取付部５１の根元には、コネクタ取付部５１を補強する一対の補強リブ５２（図４参照）が形成されている。また、ハウジング５の内部には、ハウジング５内からコネクタ取付部５１を補強する複数の補強部５３が形成されている。コネクタ取付部５１の先端裏面には、コネクタ５０の取付爪５４が止め孔５１ａ（図３参照）に係止される際に、この取付爪５４の挿し込みを案内する斜面状の案内部５５が設けられている。
【００４９】
ところで、従来のＬＥＤ灯具は、ねじのみで車内天井１に取り付けていたため、必要なねじ個数が多くなる現状があった。そこで、本例のＬＥＤ灯具３は、必要最低限のねじにより、車内天井１への取り付けを可能とする取付機構５６が設けられている。
【００５０】
この場合、図２、図３及び図６に示すように、ハウジング５の上面においてコネクタ５０寄りの位置には、車内天井１に引っ掛け可能な係止爪５７が突設されている。係止爪５７は、ハウジング５に一体形成されている。また、係止爪５７は、爪部分が側方に飛び出す形状をとるとともに、根元が複数の補強リブ５８にて補強されている。
【００５１】
ハウジング５は、係止爪５７の反対側部位がねじ５９の取付部（ねじ取付部）６０となっている。よって、ＬＥＤ灯具３は、係止爪５７がルーフライニング６１に係止され、その反対側がねじ５９により車内天井１に固定されることで、車内天井１に取り付けられる。ねじ取付部６０は、蓋部７によって全域が蓋をされる。なお、ねじ５９が締結部に相当し、ルーフライニング６１が被係止部に相当する。
【００５２】
ハウジング５においてねじ５９の取り付けスペース６２と第２部品収納室１９との間には、ＬＥＤ灯具３を車内天井１に取り付けるときに指を添えることが可能な支持壁６３が形成されている。支持壁６３は、ハウジング５の側壁５ａと同等の高さを有するとともに、第２部品収納室１９とねじ取り付けスペース６２との各領域を区画する。なお、ねじ取り付けスペース６２は、ハウジング５の側壁５ａと支持壁６３と囲まれる領域により形成される。また、支持壁６３は、第２部品収納室１９への結露浸入を抑制するとともに、ＬＥＤ２の照射光の側方への漏れも抑制する。なお、ねじ取り付けスペース６２が締結部の取り付けスペースに相当し、支持壁６３が壁部、区画部及び支持部を構成する。
【００５３】
図６に示すように、本例のＬＥＤ灯具３には、電子部品に発生した熱を熱伝達効果により放熱する放熱機能が設けられている。この場合、電源回路２０の放熱板２３と反射板３２との間には、空気層６６が形成されるとともに、反射板３２と光拡散フィルム３４との間にも空気層６７が形成されている。これら空気層６６，６７は、区画壁４４及び支持壁６３によってできる通路６８を通り、蓋部７及びハウジング５の間の隙間６９や、ねじ孔６４の隙間を介して外部と連通されている。ねじ孔６４の孔周囲には、孔強度を確保するために肉厚部６４ａが形成されている。なお、空気層６６，６７、通路６８、隙間６９、ねじ孔６４の隙間等が、放熱機構を構成する。
【００５４】
空気層６６，６７には、ねじ孔６４や隙間６９が外部と導通することによって対流が発生する。このため、ＬＥＤ２や電源回路２０の発生熱は、空気が通路６８を通ってねじ孔６４や隙間６９から外部に流れ出す空気の流れ（図６の太線矢印の流れ）によって放熱される。
【００５５】
図４及び図１０に示すように、ハウジング５の縁において係止部１７，１７の手前位置には、蓋部７の一対の爪部１５，１５の挿し込みを案内する一対の案内部７０，７０が設けられている。案内部７０，７０は、奥に向かうに連れて昇り坂となる斜面である。よって、蓋部７をハウジング５に組み付けるとき、爪部１５，１５の挿入を案内部７０，７０が案内し、爪部１５，１５がスムーズに係止部１７，１７に入り込む。
【００５６】
図３及び図８に示すように、蓋部７の内面には、電子部品側への結露浸入を抑制する防水用突片７１が２箇所（２重構造）に設けられている。防水用突片７１は、仮にねじ孔６４から結露が浸入しても、この結露がＬＥＤ２や電源回路２０に至り難くするものである。一対の防水用突片７１は、突片１４，１４と爪部１５，１５との間に並ぶように配置されている。
【００５７】
図１１に示すように、電源回路２０には、ＬＥＤ灯具３の電源をオン又はオフするときに操作する電源スイッチ７２と、ＬＥＤ灯具３の光量を調節するときに操作する光量ボリューム７３とが接続されている。電源スイッチ７２や光量ボリューム７３は、例えば運転席周辺に設置されている。電源回路２０は、電源スイッチ７２や光量ボリューム７３からの操作信号を基にＬＥＤ灯具３の動作状態や照明光量等を制御する。
【００５８】
次に、本例のＬＥＤ灯具３の照明原理を、図１２及び図１３に従って説明する。
光拡散フィルム３４において自身の裏面（下面３４ａ：図１２参照）から入り込む入射光（ＬＥＤ２からの光）は、そのときの入射角によって、光拡散フィルム３４の境界面（図１３では境界面７５）における光の拡散成分（屈折光）や反射成分（反射光）が変わるという性質がある。
【００５９】
ここで、屈折率が大きい媒質から小さい媒質に光が入るときに、入射光が境界面を透過せず、全て反射する現象を全反射といい、入射角（境界面の垂線に対してなす角度）が、ある一定の角度以上の場合、全反射が起こる。この角度は、臨界角θｘとして知られている。光拡散フィルム３４から外面（空気中）側に光が進む場合は、屈折率が大きい媒質（光拡散フィルム３４）から小さい媒質（空気）に光が入る場合に相当するため、前述の全反射が起こる場合がある。
【００６０】
ここで、図１３（ａ）に示すように、境界面７５に入射される入射光は、この境界面７５の垂線Ｌａに対してなす角度を入射角とする。このとき、臨界角θｘよりも小さな入射角α（θｘ＞α）をとる場合、この一部が溝３８の境界面から屈折して上側に屈折角α１の角度を持って抜け出る（光の拡散効果）とともに、入射光の一部が境界面７５において同じ入射角αで反射しつつ、この反射光がその照射先である向かい側の境界面７６で反射する。
【００６１】
図１３（ｂ）に示すように、境界面７５に対する入射光は、臨界角θｘよりも大きな入射角β（θｘ＜β）をとる場合、全てが溝３８の境界面７５で以て反射しつつ、この反射光がその照射先である向かい側の境界面７６に照射される。そして、この反射光が例えば臨界角θｘよりも小さい入射角β１で境界面７６に到達したとすると、この反射光は、この一部が溝３８の境界面７６から屈折して上側に屈折角β２の角度を持って抜け出るとともに、反射光の一部が境界面７６で同じβ１の角度で更に反射して、光拡散フィルム３４の内側に向かって反射される（光の反射効果）。
【００６２】
よって、光拡散フィルム３４の裏面３４ａから入射された入射光においてその一部は、この光の拡散効果により光拡散フィルム３４の表面から抜け出る光によって、光拡散フィルム３４の表側ではフィルム長さ方向に広がって見える。このため、本例では、図９に示すように、光拡散フィルム３４を枠部８に取り付けるに際して、ＬＥＤ２の発光方向Ｋｃと光拡散フィルム３４の溝方向Ｍｃをとを平行とすることにより、ＬＥＤ２の１本の照射光を、光拡散フィルム３４により２本の照明光（図１２参照）として映し出している。これにより、光拡散フィルム３４の表面側においては、人の目に見える光の本数が多くなり、レンズ１０の発光面をその長手方向（図３のＸ軸方向）に広がらせることが可能となる。
【００６３】
一方、図１３（ｃ）に示すように、境界面７５に対する入射光は、臨界角θｘと同じ、或いは僅かに大きい入射角γ（θｘ≦γ＜β）をとる場合、溝３８の境界面７５において同じ入射角γで全反射するとともに更に境界面７６でも全反射して、入射光の全成分が光拡散フィルム３４の裏面側に抜け出る特性（光の反射効果）がある。よって、本例の光拡散フィルム３４では、光の入射角が臨界角θｘよりも僅かに大きい場合には、透過光がなく全てが全反射することから、反射効率が非常に高いものであるといえる。
【００６４】
次に、本例のＬＥＤ灯具３の作用・効果を図１４及び図１５に従って説明する。
図１４に示すように、ＬＥＤ灯具３に結露が付着したとき、この結露が結露流入口４１から本体ケース４内に浸入しても、ＬＥＤ２及び電源回路２０は結露流入口４１よりも上方に位置しているので、結露がＬＥＤ２及び電源回路２０に付着し難い。よって、結露付着を原因とするＬＥＤ２及び電源回路２０の故障が生じ難い。また、結露は第１防水壁４２、第２防水壁４３及び区画壁４４によって堰き止められる。よって、結露がレンズ１０側に至り難くなるので、レンズ１０の隙間から結露が流れ落ちることも防止される。
【００６５】
ここで、例えばレンズの隙間に埃等が蓄積されて、ケース内に浸入した結露が下に落ちずにケース内に溜まったとき、結露の水位が高くなっていく懸念がある。しかし、本例の場合は、図１４の円内に示すように、係止枠１１の最も低い枠部１１ａが、電源回路２０及びＬＥＤ２よりも低い高さとなっている（光源ユニット２７と枠部１１ａとの間に距離Ｌを確保する）ので、溜まった結露がケース外に排出される。よって、結露がＬＥＤ２や電源回路２０に付着することを抑制することが可能となる。
【００６６】
また、ＬＥＤ灯具３を車内天井１に取り付けるときは、図１５（ａ）に示すように、蓋部７の付いていないＬＥＤ灯具３を用意し、まずはコネクタ５０を車体側コネクタ７４に接続する。そして、図１５（ｂ）に示すように、係止爪５７を車体のルーフライニング６１の縁に係止し、図１５（ｃ）に示すように、支持壁６３に指を添えて本体ケース４を固定しながら、本体ケース４をねじ５９により車内天井１に固定する。そして最後に、図１５（ｄ）に示すように、ねじ取付部６０に蓋部７を取り付ける。ＬＥＤ灯具３を車内天井１に組み付けたとき、レンズ１０及び蓋部７の周縁がヘッドライニング７７の開口縁に上から重なり、ヘッドライニング７７の縁が外部に露出しないようになる。
【００６７】
よって、ＬＥＤ灯具３の端部を、係止爪５７により車内天井１に引っ掛ける係止構造をとるので、必要となるねじ数が少なく済む。また、支持壁６３を設けたので、取り付けに際して指を添えることが可能となる。このため、ねじ止め作業性も向上する。また、区画壁４４と支持壁６３とによって、電子部品が収納される部屋と、ねじ５９を取り付ける部屋とが、それぞれ別の部屋として形成される。従って、ドライバー等でねじ５９を取り付け先に螺着する際、ドライバーがＬＥＤユニット等に接触（干渉）しないので、ねじ５９を安全に取り付けることも可能となる。
【００６８】
また、電子部品に発生した熱は、放熱機能によって本体ケース４の外部に逃がされる（図５参照）。このため、電子部品（ＬＥＤ２や電源回路２０）の温度上昇を抑制することが可能となるので、過熱による部品劣化を防ぎ、装置としての寿命を延ばすことが可能となる。
【００６９】
本実施形態の構成によれば、以下に記載の効果を得ることができる。
（１）ＬＥＤ灯具３に結露流入保護機構４０を種々設けたので、結露がＬＥＤ灯具３の内部に浸入し難くなり、仮に結露が浸入したとしても、これが灯具下流側に流出し難くなる。よって、結露付着を要因とする部品故障を生じ難くすることができ、更にレンズ１０の周囲の隙間から結露が下方に流れ出ることも生じ難くすることができる。
【００７０】
（２）結露流入口４１よりもＬＥＤ２及び電源回路２０を上方に配置したので、結露流入口４１から結露が灯具内に浸入したとしても、結露がＬＥＤ２及び電源回路２０に付着し難くなる。よって、結露付着を要因とする電源回路２０の故障を生じ難くすることができる。
【００７１】
（３）ハウジング５においてレンズ１０の周囲に第１防水壁４２や第２防水壁４３を設けたので、仮に結露流入口４１から結露が浸入したとしても、第１防水壁４２や第２防水壁４３にて結露が堰き止められる。よって、結露がレンズ１０側に至り難くなるので、レンズ１０の周囲から結露が下方に流れ落ちることを生じ難くすることができる。
【００７２】
（４）ハウジング５の配線通し孔４６の上部に庇部４７を設けたので、結露を配線通し孔４６からハウジング５内に浸入し難くすることができる。よって、結露付着を要因とする電子部品の故障を、より効果的に防止することができる。また、配線通し孔４６よりも低い位置に配線止め部４８を設け、配線通し孔４６から引き出された配線４５を、この配線止め部４８に係止することにより、配線４５に傾斜（勾配）を持たせた。よって、仮に配線４５に結露が付着しても、結露は配線４５を伝って下方に流れ落ちるので、結露が配線通し孔４６に浸入し難くなる。このため、結露がハウジング５内に浸入することを、より効果的に防止することができる。
【００７３】
（５）ハウジング５を樹脂製としたので、例えば金属製とする場合と比較して、ハウジング５の部品コストを低く抑えることができる。ところで、例えば金属製ハウジングの場合、電源回路２０やＬＥＤ２の駆動熱は金属製ハウジングに逃がすことが可能となるが、樹脂製ハウジング５とすると、この放熱は期待できなくなる。しかし、本例の場合は、電源回路２０に放熱板２３を取り付け、ＬＥＤ２に放熱板３０を取り付けたので、熱をこれら放熱板２３，３０によって放出することができる。また、電源回路２０の放熱板２３と反射板３２との間に空気層６６を設け、この空気層６６の対流効果にて電源回路２０の熱を外部に放出可能としたので、電源回路２０の熱をより効果的に本体ケース４の外部に放熱することもできる。
【００７４】
（６）ハウジング５を樹脂製（例えばポリプロピレン）にすると、樹脂にはテープが貼り付き難い性質があるため、電源回路２０や光源ユニット２７をテープでハウジング５に直付けすることができない。そこで、本例の場合は、電源回路２０をハウジング５の掛止部３３に係止してねじ止めする機構を設けたので、ハウジング５を樹脂製にしても、電源回路２０をハウジング５に取り付けることができる。また、ハウジング５に光源ユニット２７を挟み込むための係止壁３１を設けたので、ハウジング５を樹脂製にしても、光源ユニット２７をハウジング５に取り付けることができる。
【００７５】
（７）係止爪５７とねじ５９とを利用した取付機構５６によりＬＥＤ灯具３を車内天井１に取り付けるので、少ない個数のねじでＬＥＤ灯具３を車内天井１に取り付けることができる。また、取り付けに必要なねじ個数が少なく済めば、その分だけ取付作業も簡素化することができる。
【００７６】
（８）第１部品収納室１８とねじ取り付けスペース６２とを、区画壁４４や支持壁６３にてそれぞれ別領域としたので、仮にねじ孔６４から結露が灯具内に浸入したとしても、この結露が第１部品収納室１８まで至り難くなる。よって、結露付着を要因とする電子部品の故障を発生し難くすることができる。
【００７７】
（９）ねじ取付部６０と第１部品収納室１８との間に、ＬＥＤ灯具３を車内天井１にねじ止めするときに指を添えることが可能な支持壁６３を設けたので、ＬＥＤ灯具３を車内天井１に取り付けるとき、支持壁６３に指を添えてＬＥＤ灯具３を位置決め状態で支持することができる。よって、ＬＥＤ灯具３を車内天井１に取り付けるときの作業性を向上することができる。
【００７８】
（１０）レンズ１０の裏面に光拡散フィルム３４を取り付け、この光拡散フィルム３４が持つ溝３８の直交方向における光の拡散効果と、光拡散フィルム３４及び反射板３２の間の領域を通る光をこれらにより反射し合わせて遠くに導く導光効果とにより、ＬＥＤ２の光をレンズ１０の平面方向（Ｘ軸方向及びＹ軸方向）に広げる。このため、指向性を持つＬＥＤ２の光を面状に広げることが可能となるので、この光源を使用してレンズ１０を面発光させることができる。
【００７９】
（１１）区画壁４４や支持壁６３によってＬＥＤ２の光漏れを抑えることが可能となるので、ＬＥＤ灯具３の充分な照明光量を確保することできる。
（１２）ハウジング５の先端寄りの位置に配線止め部４９を設けたので、配線４５が係止爪５７に対して距離をとって位置する。よって、係止爪５７を車内天井１の縁に係止するとき、係止爪５７に配線４５が噛み合うことがない。
【００８０】
（１３）レンズ１０と電源回路２０とを重ね配置したので、レンズ面が電源回路２０に影響を受けなくなる。よって、本体ケース４の表面全域をレンズ１０の配置スペースとして使用することが可能となるので、レンズ面を極力大きくとることができる。
【００８１】
（１４）コネクタ取付部５１の根元を補強リブ５２や補強部５３により補強したので、コネクタ取付部５１が根元からの変形、破損を生じ難くすることができる。また、コネクタ取付部５１の先端にコネクタ５０を取り付けるための案内部５５を設けたので、コネクタ５０をコネクタ取付部５１にスムーズに取り付けることができる。
【００８２】
（１５）ハウジング５の周縁に蓋部７の取り付けを案内する案内部７０を設けたので、蓋部７をハウジング５にスムーズに取り付けることができる。
（１６）区画壁４４と支持壁６３の２重の壁で結露浸入を防ぐので、仮にねじ孔６４から結露がケース内に浸入しても、結露が電子部品側に至ることをより効果的に防止することができる。
【００８３】
（１７）ねじ孔６４の孔周囲に補強用の肉厚部６４ａを形成したので、ねじ孔６４にねじ５９を螺着するときに、ねじ孔６４を破損し難くすることができる。また、ワッシャも不要となるので、部品点数を削減することもできる。
【００８４】
なお、実施形態はこれまでに述べた構成に限らず、以下の態様に変更してもよい。
・光源ユニット２７（ＬＥＤ２）は、ハウジング５側に取り付けられることに限定されない。例えば図１６に示すように、光源ユニット２７（ＬＥＤ２）をレンズユニット６に設けてもよい。この場合、レンズユニット６の係止枠１１の高さがとれるので、結露をケース内に浸入し難くすることができる。また、同図の破線で示すように、ハウジング５の側壁５ａに通し孔９１を設けて、隙間から浸入した結露を、この通し孔９１から外部に放出してもよい。このとき、通し孔９１は、ケース外側が低くなるように斜面状に形成されてもよい。こうすると、結露を浸入し難くでき、かつ隙間に入り込んだ結露を、積極的に外部に放出することができる。
【００８５】
・結露流入保護機構４０は、実施形態に述べたものに限定されず、本体ケース４内への結露浸入を抑制するもの、或いは本体ケース４内に浸入した結露を電子部品やレンズ１０に到達し難くするものであれば、どのような構造、形状のものを採用してもよい。
【００８６】
・ハウジング５は、樹脂製に限らず、例えば金属製としてもよい。
・ＬＥＤ灯具３は、蓋部７のない構造としてもよい。
・第１防水壁４２、第２防水壁４３及び区画壁４４の形状や高さは、浸入した結露を堰き止めることができれば、種々変更可能である。
【００８７】
・レンズユニット６の枠部８に通気孔を形成して本体ケース４内に空気の流れを作ることにより、放熱効果を促進してもよい。
・係止爪５７の配置位置や個数は、適宜変更可能である。また、ねじ５９の個数も１つに限らず、複数にしてもよい。
【００８８】
・放熱板２３，３０の一部をハウジング５の外に露出して、放熱効果を高めてもよい。
・放熱機構は、空気層６６，６７、通路６８、ねじ孔６４の隙間により構成されることに限定されず、熱を逃がすことが可能であれば、その構造は特に限定されない。
【００８９】
・締結部は、ねじに限定されず、例えばピン等の他の部品を使用してもよい。
・区画部は、例えば単に枠部８の区画壁４４からなるものでもよい。
・電子部品は、ＬＥＤ２や電源回路２０に限定されず、他の部品を採用してもよい。
【００９０】
・ＬＥＤ灯具３のスイッチは、電源スイッチ７２及び光量ボリューム７３のみに限定されず、例えば照明の色彩を切り換えるスイッチや、タイマを設定するスイッチでもよい。
・放熱用の金属部材は、板状のものに限定されず、例えば棒状の部材を採用してもよい。
【００９１】
・結露流入抑制機構は、庇部４７と配線止め部４８とから構成されるものに限定されず、本体ケース４内への結露流入を防ぐためのものならば、どのような構造のものを採用してもよい。
【００９２】
・光調整部材としてシート材からなる光拡散フィルム３４を使用した場合、これは必ずしもプリズムシートに限定されず、例えば光拡散シートや集光シートを採用してもよい。また、光調整部材は、必ずしもこの種の樹脂シート材に限るものではなく、例えば樹脂板やガラスを使用してもよい。
【００９３】
・光調整部材は、必ずしも複数の規則正しく並んだ溝３８…を表面に持つものに限らず、光の拡散機能及び反射機能を持つものであれば、形状や材質は特に限定されない。
・光拡散フィルム３４は、表側がアクリル系樹脂で、裏面側がポリエステルフィルム層からなる２重構造をとるものに限定されず、１層の材質からなるものでもよい。また、２重構造をとる場合、これらの材質はアクリル及びポリエステルフィルムに限定されず、これら以外の材質を使用してもよい。
【００９４】
・結露流入口４１よりも上方に配置する部材は、ＬＥＤ２及び電源回路２０のどちらか一方でもよい。
・ＬＥＤ灯具３は、照明の機能単位が必ずしも１つであることに限らず、照明機能単位を複数設けてもよい。
【００９５】
・ＬＥＤ２は、本体ケース４の幅方向両側に配置されることに限らず、一方のみに配置されるものでもよい。
・ＬＥＤ２は、本体ケース４の幅方向において左右で互い違いに配置されることに限らず、同じ位置に並ぶものでもよい。
【００９６】
・指向性光源は、必ずしもＬＥＤ２を複数もつものに限らず、１つで高い輝度が得られる場合は、１つのＬＥＤ２から構成されるものでもよい。
・指向性光源は、必ずしも複数配置されたＬＥＤ２に限定されず、光源から出される光に指向性があるものであれば、どのような種のものを使用してもよい。例えば、ひとつのＬＥＤであっても良いし、あるいは、ライン型の光源としては、アーパーチャー型冷陰極管などであってよい。
【００９７】
・レンズ１０は、必ずしも表面が平面になっているものに限らず、表面が若干の丸みを帯びた曲面形状をとっていてもよい。
・反射部材は、必ずしも板形状の反射板３２に限定されず、光を反射できるものであれば、その形状は特に限定されない。また、反射部材の材質も、樹脂であることに限定されるものではなく、光反射作用を持つもつものであれば、どのようなものを採用してもよい。
【００９８】
・ＬＥＤ灯具３は、必ずしも車両の室内灯に使用されることに限らず、種々の灯具に応用可能であることは言うまでもない。
次に、上記実施形態及び別例から把握できる技術的思想について、それらの効果とともに以下に追記する。
【００９９】
（イ）光の照明側に開口された開口部内に、光源を点灯するために電気的に接続された電源回路を備えたハウジングと、前記光源から照射される光を外部に透過するレンズを有するとともに、前記ハウジングの前記開口部を開口側から閉じるレンズユニットとを備えた照明装置において、樹脂製の前記ハウジングに形成された係止爪を、前記取り付け先の被係止部に係止するとともに、当該ハウジングにおいて前記係止爪と反対側部位を、締結部により前記取り付け先に固定する取付機構を備えた。
【０１００】
ところで、照明装置を締結部のみで取り付け先に取り付ける場合、締結部が複数必要となるので、部品コストがかかる。また、複数箇所で締結部の止め作業が必要となるため、取付作業も面倒である。しかし、本構成によれば、照明装置の取り付けに必要な締結部の個数を少なく抑えることが可能となるので、部品コスト抑制や取付作業簡素化に寄与する。
【０１０１】
（ロ）光の照明側に開口された開口部内に、光源を点灯するために電気的に接続された電源回路を備えたハウジングと、前記光源から照射される光を外部に透過するレンズを有するとともに、前記ハウジングの前記開口部を開口側から閉じるレンズユニットとを備え、締結部を用いて取り付け先に取り付け可能な照明装置において、装置ケース内には、電子部品の収納領域と、前記締結部の取り付けスペースと、を区分けする区画部が形成されている。
【０１０２】
ところで、照明装置が締結部により固定される構造の場合、ハウジングには締結部の挿込孔（例えば、ねじ孔）が形成されるが、この挿込孔から結露が装置ケース内に浸入する可能性も否めない。そこで、本構成では、電子部品の収納領域と締結部の取り付けスペースとが区画部により区画されるので、挿込孔から浸入した結露が電子部品に至り難い。よって、結露付着を要因とする電子部品の故障を生じ難くすることが可能となる。
【０１０３】
（ハ）光の照明側に開口された開口部内に、光源を点灯するために電気的に接続された電源回路を備えたハウジングと、前記光源から照射される光を外部に透過するレンズを有するとともに、前記ハウジングの前記開口部を開口側から閉じるレンズユニットとを備えた照明装置において、前記締結部の取り付けスペースにて、前記取り付け先への取付け作業を行うときに指を添えることが可能な支持部を備える。この構成によれば、照明装置を取り付け先に取り付けるとき、支持部に指を添えて照明装置をしっかりと固定することが可能となるので、照明装置の取り付けの作業性を向上することが可能となる。
【０１０４】
（二）光の照明側に開口された開口部内に、光源を点灯するために電気的に接続された電源回路を備えたハウジングと、前記光源から照射される光を外部に透過するレンズを有するとともに、前記ハウジングの前記開口部を開口側から閉じるレンズユニットとを備えた照明装置において、前記光源に発生する熱、又は前記電源回路に発生する熱を、外部に放熱可能な放熱機構を備えた。
【０１０５】
ところで、例えばハウジングを樹脂製とした場合、指向性光源や電源回路の熱の逃がし所がなくなるが、本構成の場合は、放熱機構によって熱を外に逃がすことが可能となるので、ハウジングを樹脂製としても何ら問題はない。
【０１０６】
（ホ）請求項５〜８、前記技術的思想（二）のいずれかにおいて、前記放熱機構は、電子部品（光源や電源回路）に取り付けられた金属体である。この構成によれば、金属体を電子部品に取り付けるという簡素な構造で、電子部品に発生する熱を外に放熱することが可能なる。
【０１０７】
（へ）請求項５〜８、前記技術的思想（二）のいずれかにおいて、前記放熱機構は、前記金属体に触れる空気層の対流によって熱を外に逃がすものである。この構成によれば、電子部品に発生した熱を、金属体及び空気対流によって効果的に逃がすことが可能となるので、電子部品の温度上昇をより効果的に抑えることが可能となる。
【０１０８】
（ト）請求項１〜８、前記技術的思想（イ）〜（へ）のいずれかにおいて、樹脂製の前記ハウジングと、前記光源に電源を供給する電源回路又は該指向性光源を、少なくとも部材の係止により前記ハウジングに係止する係止機構とを備えた。この構成によれば、ハウジングを樹脂製（例えばポリプロピレン）にすると、テープ等でハウジングに部品取り付け難くなる（又は剥がれ易い）が、本構成の場合は、部品取り付け用の係止機構を設けたので、電源回路を問題なくハウジングに取り付けることが可能となる。
【０１０９】
（チ）請求項１〜８、前記技術的思想（イ）〜（ト）のいずれかにおいて、前記光源の光が前記レンズ外の箇所から漏れ出ないように、光漏れを防止する光漏れ防止手段を備えた。この構成によれば、レンズに通す光量が確保されるので、照明の輝度を確保することが可能となる。
【０１１０】
（リ）請求項１〜８、前記技術的思想（イ）、（ホ）〜（チ）のいずれかにおいて、前記係止爪には、当該係止爪を破損し難くする補強リブが形成されている。この構成によれば、係止爪の強度を補強リブにて確保することが可能となる。
【０１１１】
（ヌ）請求項１〜８、前記技術的思想（イ）、（ホ）〜（リ）のいずれかにおいて、前記反対側部位には、前記締結部を隠す蓋部が取り付けられている。この構成によれば、締結部が外部に露出しなくなるので、外観を確保することが可能となる。
【０１１２】
（ル）請求項７又は８、前記技術的思想（ハ）、（ホ）〜（ヌ）のいずれかにおいて、前記支持部は、前記結露が前記レンズ側に至らないようにする防水壁の役割も兼ねている。この構成によれば、結露を要因とする電子部品の故障を一層生じ難くすることが可能となる。
【０１１３】
（ヲ）請求項７又は８、前記技術的思想（ハ）、（ホ）〜（ル）のいずれかにおいて、前記支持部は、前記指向性光源の光漏れを防止する壁の役割も兼ねている。この構成によれば、レンズに通す光量が確保されるので、照明輝度を確保することが可能となる。
【符号の説明】
【０１１４】
１…取り付け先としての車内天井、２…光源（指向性光源）及び電子部品を構成するＬＥＤ、３…照明装置としてのＬＥＤ灯具、４…装置ケースとしての本体ケース、５…ハウジング、６…レンズユニット、１０…レンズ、１８…電子部品の収納領域及び開口部を構成する第１部品収納室、１９…開口部を構成する第２部品収納室、２０…電子部品を構成する電源回路、２３…金属部材としての放熱板、３２…反射部材としての反射板、３４…光調整部材としての光拡散シート、４０…結露流入保護機構、４１…結露流入口、４２…壁部を構成する第１防水壁、４３…壁部を構成する第２防水壁、４４…壁部及び区画部を構成する区画壁、４５…配線、４６…配線通し孔、４７…結露流入抑制機構を構成する庇部、４８…結露流入抑制機構を構成する配線止め部、５６…取付機構、５７…係止爪、５９…締結部としてのねじ、６１…被係止部としてのルーフライニング、６２…締結部の取り付けスペースとしてのねじ取り付けスペース、６３…壁部、区画部及び支持部を構成する支持壁、６４…放熱機構を構成するねじ孔、６６，６７…放熱機構を構成する空気層、６８…放熱機構を構成する通路、６９…放熱機構を構成する隙間。
【図１】
0005598208.tif 000002
【図２】
0005598208.tif 000003
【図３】
0005598208.tif 000004
【図４】
0005598208.tif 000005
【図５】
0005598208.tif 000006
【図６】
0005598208.tif 000007
【図７】
0005598208.tif 000008
【図８】
0005598208.tif 000009
【図９】
0005598208.tif 000010
【図１０】
0005598208.tif 000011
【図１１】
0005598208.tif 000012
【図１２】
0005598208.tif 000013
【図１３】
0005598208.tif 000014
【図１４】
0005598208.tif 000015
【図１５】
0005598208.tif 000016
【図１６】
0005598208.tif 000017